(57)【特許請求の範囲】
【請求項１】
トイレ室の床部に配設されるトイレ用床仕上げセットであって、
少なくとも、便器の位置に対応して配置される央部床仕上げ板と、
上記便器を正面から見たときに上記央部床仕上げ板の左右両側に隣接してトイレ室の左右の壁側に位置するように配置される両側部床仕上げ板とを組み合わせてなり、
上記央部床仕上げ板の左右の側端面には、表面側に凸部を有しかつ裏面側に凹部を有する側部合決り部が形成されている一方、
上記両側部床仕上げ板の央部床仕上げ板側の側端面には、表面側に凹部を有しかつ裏面側に凸部を有する側部合決り部が形成されていて、
上記央部床仕上げ板の側部合決り部と両側部床仕上げ板の側部合決り部とは互いに接合可能に形成されており、
上記央部床仕上げ板には、便器に接続される便器用配管を通すための刳り抜き部が形成されていることを特徴とするトイレ用床仕上げ板セット。
【請求項２】
請求項１のトイレ用床仕上げ板セットにおいて、
央部床仕上げ板の少なくとも一部は、基板と、該基板の表面に配設され、表面に光触媒機能層が設けられた無機質板とを一体化してなることを特徴とするトイレ用床仕上げ板セット。
【請求項３】
請求項２のトイレ用床仕上げ板セットにおいて、
央部床仕上げ板のうち便器の下方部に位置する汚垂部が、基板及び表面に光触媒機能層が設けられた無機質板からなるものであることを特徴とするトイレ用床仕上げ板セット。
【請求項４】
請求項１のトイレ用床仕上げ板セットにおいて、
央部床仕上げ板は、少なくとも、便器の下方部に位置する汚垂部床仕上げ板と、
上記便器を正面から見たときに上記汚垂部床仕上げ板の手前側に隣接して配置される前部床仕上げ板とに２分割されており、
上記汚垂部床仕上げ板の手前側の側端面には前部合決り部が形成されている一方、
前部床仕上げ板の奥側の側端面には、上記汚垂部床仕上げ板の前部合決り部に接合される後部合決り部が形成されていることを特徴とするトイレ用床仕上げ板セット。
【請求項５】
請求項４のトイレ用床仕上げ板セットにおいて、
汚垂部床仕上げ板の手前側の側端面には、表面側に凸部を有しかつ裏面側に凹部を有する前部合決り部が形成されている一方、
前部床仕上げ板の奥側の側端面には、表面側に凹部を有しかつ裏面側に凸部を有する後部合決り部が形成されていることを特徴とするトイレ用床仕上げ板セット。
【請求項６】
請求項２又は３のトイレ用床仕上げ板セットにおいて、
無機質板がセラミック板であることを特徴とするトイレ用床仕上げ板セット。
【請求項７】
請求項１〜６のいずれか１つのトイレ用床仕上げ板セットにおいて、
床下地材に電気式発熱装置を組み込んだ下地暖房パネルと組み合わされていることを特徴とするトイレ用床仕上げ板セット。
【請求項８】
請求項１のトイレ用床仕上げ板セットにおいて、
央部床仕上げ板及び両側部床仕上げ板の各裏面には、水平滑動性のある両面粘着テープが貼着されていることを特徴とするトイレ用床仕上げ板セット。
【請求項９】
請求項１のトイレ用床仕上げ板セットにおいて、
両側部床仕上げ板の左右方向の幅寸法と央部床仕上げ板の左右方向の幅寸法とを合計した幅寸法が、畳１畳の幅寸法よりも２０％未満の寸法分だけ大きめになるように設けられていることを特徴とするトイレ用床仕上げ板セット。
【請求項１０】
トイレ室の床部に配設されるトイレ用床仕上げセットの施工方法であって、
まず、トイレ室に施工されかつ便器に接続される便器用配管が突出する床下地材上に、表面側に凸部を有しかつ裏面側に凹部を有する側部合決り部が左右の側端面に形成されている央部床仕上げ板を、上記便器用配管の端部に央部床仕上げ板の刳り抜き部を挿通させて取り付け、
次いで、上記便器を正面から見たときに上記央部床仕上げ板の左右両側端面にある側部合決り部の裏面側凹部に対し、表面側に凹部を有しかつ裏面側に凸部を有する側部合決り部が央部床仕上げ板側の側端面に形成されている両側部床仕上げ板における上記側部合決り部の裏面側凸部を順次挿入して、両側部床仕上げ板を床下地材上に取り付けることを特徴とするトイレ用床仕上げ板セットの施工方法。
【発明の詳細な説明】
【０００１】
【発明の属する技術分野】
本発明は、トイレの床を施工性よくかつ残材等の廃棄物の発生がないように形成でき、特にトイレの床のリフォームにも容易に対応できるようにしたトイレ用床仕上げ板セット及びその施工方法に関する技術分野に属する。
【０００２】
【従来の技術】
従来から、トイレの床は、床下地材の上にタイルをモルタルで接着したり、床下地材上にクッションフロアや木質床化粧板を接着剤で接着したりする等の方法で施工されている。
【０００３】
また、この他、特開２０００―１９２６７８号公報に開示されているように、周囲に立ち上がり部が一体に立設された床パネルユニットも提案されている。
【０００４】
【発明が解決しようとする課題】
しかし、上記のようにタイルを下地上にモルタルで張るような従来の湿式的工法では、施工に非常な手間がかかり、左官業者の仕事となって工程が煩雑化し、また現場が汚れたり養生が必要となったりし、リフォーム工事は勿論のこと新築工事においても、施工性が悪くて施工期間も長くなってしまうという問題があった。
【０００５】
一方、合板等の床下地材の上にクッションフロアや木質床化粧板を取り付ける方法では、施工現場でクッションフロアや木質床化粧板を所定寸法に切断しなければならず、切断の作業手間が必要となるとともに、切断屑の処分が必要となる問題が生じる。
【０００６】
特に、これら床仕上げ板において便器の下方部に対し、便器に接続される便器用配管を通す刳り抜き加工をする手間も必要であり、特にリフォーム工事の場合には、廊下やトイレ室という限られた狭い空間での作業となるので、作業が一層し難くなる。さらに、クッションフロアは塩化ビニル樹脂等のプラスチック材料が主原料であるため、残材の焼却等の処分もし難いという問題が加わる。
【０００７】
また、上記提案例の床パネルユニットを用いる場合には、特にリフォーム時のように狭い廊下やトイレ室の中で、このようなユニットの搬入作業をしたり、取付作業をしたりせねばならず、それらの作業が実質的に難しいという問題があった。
【０００８】
本発明は斯かる諸点に鑑みてなされたもので、その目的は、トイレ室の床部に設けられる仕上げ板に改良を施すことで、トイレ室の床を施工性よくかつ残材等の廃棄物の発生がないように形成でき、トイレ室の床のリフォームをも容易に行い得るようにすることにある。
【０００９】
【課題を解決するための手段】
上記の目的を達成するために、この発明では、トイレ室の床部に設けられる床仕上げ板を少なくとも央部と左右両側部とに３分割し、上記央部床仕上げ板の左右両側の側端面と、この側端面に当接する左右両側部の床仕上げ板の側端面とが合決り部によって接合されるように加工し、さらには上記央部床仕上げ板に予め便器用配管の挿通部としての刳り抜き部を形成しておくようにした。
【００１０】
また、これら床仕上げ板を施工する際には、まず、央部床仕上げ板をその刳り抜き部が便器用配管の位置に位置するようにして取り付け、この央部床仕上げ板を基準として左右両側部床仕上げ板を施工するようにした。
【００１１】
具体的には、請求項１の発明では、トイレ室の床部に配設されるトイレ用床仕上げセットとして、少なくとも、便器の位置に対応して配置される央部床仕上げ板と、上記便器を正面から見たときに上記央部床仕上げ板の左右両側に隣接してトイレ室の左右の壁側に位置するように配置される両側部床仕上げ板とを組み合わせてなり、上記央部床仕上げ板の左右の側端面には、表面側に凸部を有しかつ裏面側に凹部を有する側部合決り部が形成されている一方、上記両側部床仕上げ板の央部床仕上げ板側の側端面には、表面側に凹部を有しかつ裏面側に凸部を有する側部合決り部が形成されていて、上記央部床仕上げ板の側部合決り部と両側部床仕上げ板の側部合決り部とは互いに接合可能に形成されており、上記央部床仕上げ板には、便器に接続される便器用配管を通すための刳り抜き部が形成されていることを特徴としている。
【００１２】
上記の構成によると、トイレ用床仕上げ板セットは、少なくとも３分割された床仕上げ板からなっているので、新築時は勿論のこと、リフォーム時においても、狭い廊下やトイレ室の出入口から容易に搬入することができ、また狭いトイレ室においても、取付作業や振回し作業がし易くなって施工性が非常によい。
【００１３】
そして、このトイレ用床仕上げ板セットは、トイレ室の床形状に応じて予めセット化された寸法になっているので、切断作業を少なくすることができ、切断屑の発生をなくしたり、大幅に減少させたりすることができる。
【００１４】
また、央部床仕上げ板には、便器用配管を通すための刳り抜き部が予め形成されているので、剛性のある央部床仕上げ板に施工現場で便器用配管を通すための刳り抜き加工をするという煩わしい作業が不要となる。
【００１５】
さらには、央部床仕上げ板の左右両側の側端面及びこの側端面に当接する左右両側部床仕上げ板の側端面にはそれぞれ側部合決り部が加工され、これらの側部合決り部同士の接合により央部床仕上げ板及び側部床仕上げ板が各々の側端面で接合されるので、本実加工部により接合する場合に比べて接合加工が容易であり、狭いトイレ空間においても施工を良好に行うことができる。
【００１６】
つまり、央部床仕上げ板の左右両側の側端面に、表面側に凸部を有しかつ裏面側に凹部を有する側部合決り部が形成されている一方、両側部床仕上げ板の央部床仕上げ板側の側端面に、表面側に凹部を有しかつ裏面側に凸部を有する側部合決り部が形成されているので、施工時の両合決り部同士の接合状態では、側部床仕上げ板の側端面が央部床仕上げ板の側端面の下に潜り込むようになり、より一層施工性がよくなり、しかも施工後の安定性もよくなる利点が加わる。
【００１７】
請求項２の発明では、上記央部床仕上げ板の少なくとも一部は、基板と、この基板の表面に配設され、表面に光触媒機能層が設けられた無機質板とを一体化してなるものとする。請求項３の発明では、さらに、上記央部床仕上げ板のうち便器の下方部に位置する汚垂部が、基板及び表面に光触媒機能層が設けられた無機質板からなるものとする。
【００１８】
これらの発明によれば、央部床仕上げ板又はその汚垂部は、基板と、その表面に位置し、光触媒機能層を表面に設けた無機質板とで形成されているので、尿等により汚れ易い部分の汚れを簡単に清掃することができ、長く良好な清潔感を保持することができる。そして、その裏面側が木質板で形成されているので、側端面等の加工も容易に行える。
【００１９】
請求項４の発明では、請求項１のトイレ用床仕上げ板セットにおいて、央部床仕上げ板は、少なくとも、便器の下方部に位置する汚垂部床仕上げ板と、上記便器を正面から見たときに上記汚垂部床仕上げ板の手前側に隣接して配置される前部床仕上げ板とに２分割されており、上記汚垂部床仕上げ板の手前側の側端面には前部合決り部が形成されている一方、前部床仕上げ板の奥側の側端面には、上記汚垂部床仕上げ板の前部合決り部に接合される後部合決り部が形成されていることを特徴とする。
【００２０】
この発明によれば、トイレ用床仕上げ板セットの央部床仕上げ板が２分割されているので、運搬施工性をさらに良好にすることができる。また、２分割された一方の汚垂部床仕上げ板だけを、基板と光触媒機能層を表面に設けた無機質板とにより複合しておくことができ、上記請求項１の発明の効果に加えて、一層効率的にかつ経済的に防汚性能を付与することができる。
【００２１】
請求項５の発明では、上記汚垂部床仕上げ板の手前側の側端面には、表面側に凸部を有しかつ裏面側に凹部を有する前部合決り部が形成されている一方、前部床仕上げ板の奥側の側端面には、表面側に凹部を有しかつ裏面側に凸部を有する後部合決り部が形成されている構成とする。このことで、施工時に汚垂部床仕上げ板の手前側の側端面の前部合決り部と、前部床仕上げ板の奥側の側端面の後部合決り部との接合状態では、前部床仕上げ板の奥側の側端面が汚垂部床仕上げ板の手前側の側端面の下に潜り込むようになり、より一層施工性がよくなり、しかも施工後の安定性もよくなる。
【００２２】
請求項６の発明では、請求項２又は３のトイレ用床仕上げ板セットにおける無機質板はセラミック板とする。このように無機質板をセラミック板としているので、腐らないのは勿論のこと、その耐久性を大幅に向上させることができるという効果が加わる。
【００２３】
請求項７の発明では、請求項１〜６のいずれか１つのトイレ用床仕上げ板セットに、床下地材に電気式発熱装置を組み込んだ下地暖房パネルが組み合わされているものとする。このトイレ用床仕上げ板セットは、電気式発熱装置を組み込んだ下地暖房パネルが床下地材として加えられたセットになっているので、トイレ用床仕上げ板セットに暖房機能を付与することができる。
【００２４】
請求項８の発明では、請求項１の発明のトイレ用床仕上げ板セットにおける央部床仕上げ板及び両側部床仕上げ板の各裏面に、水平滑動性のある両面粘着テープが貼着されているものとする。このことで、床仕上げ板をその裏面に貼着されている水平滑動性のある両面粘着テープにより床下地材に取り付ければよく、その取付けを簡単に行うことができる。
【００２５】
請求項９の発明では、請求項１のトイレ用床仕上げ板セットにおいて、その両側部床仕上げ板の左右方向の幅寸法と央部床仕上げ板の左右方向の幅寸法とを合計した幅寸法が、畳１畳の幅寸法よりも２０％未満の寸法分だけ大きめになるように設けられているものとする。この各床仕上げ板は、通常のトイレ室に多く設定される畳１畳の幅寸法よりも２０％未満の寸法分だけ大きめに形成されているので、特にリフォーム時等の施工現場における床の多少の形状違いにも対応できるとともに、切断くず等のゴミが発生するのを最小限にすることができる。
【００２６】
請求項１０の発明は、トイレ室の床部に配設されるトイレ用床仕上げセットの施工方法であり、まず、トイレ室に施工されかつ便器に接続される便器用配管が突出する床下地材上に、表面側に凸部を有しかつ裏面側に凹部を有する側部合決り部が左右の側端面に形成されている央部床仕上げ板を、上記便器用配管の端部に央部床仕上げ板の刳り抜き部を挿通させて取り付ける。次いで、上記便器を正面から見たときに上記央部床仕上げ板の左右両側端面の側部合決り部の裏面側凹部に対し、表面側に凹部を有しかつ裏面側に凸部を有する側部合決り部が央部床仕上げ板側の側端面に形成されている両側部床仕上げ板における上記側部合決り部の裏面側凸部を順次挿入して、両側部床仕上げ板を床下地材上に取り付けることを特徴としている。
【００２７】
この施工方法では、まず、央部床仕上げ板を床下地材上に、央部床仕上げ板の刳り抜き部を床下地材から突出する便器用配管の位置に合わせて取り付け、次いで、上記央部床仕上げ板の左右側端面の合決り部の裏面側凹部に、該側端面に当接させる左右両側部床仕上げ板の側端面の合決り部の裏面側凸部を嵌入することによって、側部床仕上げ板を取り付けることができるので、床仕上げ板の位置合わせを良好に行うことができる。また、狭いトイレ空間において、嵌合し難い本実加工の場合よりも施工性よく施工することができる。
【００２８】
【発明の実施の形態】
図１〜図４は本発明の実施形態に係るトイレ用床仕上げ板セットＡを示し、この床仕上げ板セットＡは、図７に示すようにトイレ室Ｒの床部に配設される。尚、実施形態の以下の説明においては、「左右」、「前後」、「手前」及び「奥」という用語は、トイレ室Ｒで便器Ｓを正面から見たときの状態を指すものとする。
【００２９】
上記トイレ用床仕上げ板セットＡは、トイレ室Ｒの略床部全体の大きさ（その左右方向の寸法すなわち幅寸法は、畳１畳の幅寸法に相当する）の床仕上げ板（図示せず）を４分割した構造とされている。すなわち、トイレ用床仕上げ板セットＡは、前後方向（図４では上下方向）に長い略矩形状の央部床仕上げ板１と、同様に前後方向に細長くて互いに同じ大きさの矩形状の左側部床仕上げ板４及び右側部床仕上げ板５とを組み合わせてなり、さらに上記央部床仕上げ板１は、前後方向に長い略矩形状の汚垂部としての汚垂部床仕上げ板２と、略方形状の前部床仕上げ板３とに２分割されている。
【００３０】
上記汚垂部床仕上げ板２は、図２に拡大して示すように、基板２ａの表面に無機質板２ｂが接着されて複合化されたもので、上記無機質板２ｂの表面には光触媒機能層２ｃが形成されている。具体的には、汚垂部床仕上げ板２は、例えば厚さ２ｍｍの合板からなる基板２ａの表面に対し、酸化チタンを混入して光触媒機能を付与した無機質塗材を焼付け処理（釉薬仕上げを含む）して光触媒機能を発現する化粧層としての光触媒機能層２ｃを有するセラミック板（商品名「ハイドロセラ」東陶機器株式会社製）からなる無機質板２ｂを貼り付けて複合化したものである。
【００３１】
上記基板２ａは、合板の他に、ＬＶＬ、ＭＤＦ、集成材、パーティクルボード、ＯＳＢ等の木質系板材や、セメント珪酸カルシウム板、火山性ガラス質複層板（商品名「ダイライト」大建工業株式会社製）、セラミック板、スラグ石膏板等の無機質系板材が使用できる。特に、基板２ａに木質系板材を使用すると、表面の無機質板２ｂの脆弱さを補い、或いは必要形状への切断等の加工を容易に行うことができる。
【００３２】
この汚垂部床仕上げ板２の四周の側端面のうち左右両側の側端面には側部合決り部１１，１１が、また手前側の側端面には前部合決り部１２がそれぞれ加工されている。この各合決り部１１，１２は、いずれも汚垂部床仕上げ板２の表面側に凸部１３を有しかつ裏面側に凹部１４を有する合決り形状に形成されている。特に、左右の側部合決り部１１，１１は上記の形状にしておくことが必要であり、前部合決り部１２は上記形状にしておくのが望ましい。
【００３３】
上記各合決り部１１，１２では、汚垂部床仕上げ板２において加工し易い合板等の基板２ａを、加工し難いセラミック板からなる無機質板２ｂよりも所定寸法小さく形成して貼り合わせることにより、表面側の凸部１３及び裏面側の凹部１４を形成することができる。
【００３４】
また、上記央部床仕上げ板１の汚垂部床仕上げ板２には、便器Ｓに接続される便器用配管Ｐ（図５参照）を通すための刳り抜き部１６が汚垂部床仕上げ板２の後辺部の幅方向略中央から前側（内側）に向かって長細いＵ字状となるように切り欠いて設けられている（刳り抜き部１６の前端は円弧状に切り欠かれている）。この刳り抜き部１６は、その左右方向の幅が上記便器用配管Ｐを挿通可能な寸法に形成された長細い形状をしており、便器Ｓの種類等によって汚垂部床仕上げ板２での便器用配管Ｐの位置が前後方向に異なっても、それに対応して便器用配管Ｐを刳り抜き部１６に挿通できるようになっている。また、この刳り抜き部１６の幅を便器用配管Ｐの外径よりも少し大きめに形成しておくと、便器用配管Ｐの位置が左右方向にずれたとしても、そのズレに対応することができる。
【００３５】
一方、前部床仕上げ板３は例えば厚み６ｍｍの木質床化粧板で形成されている。この木質化粧板は、図３に拡大して示すように、剛性のある基板３ａの表面に任意の化粧層３ｂを設けてなる。このような剛性のある基板３ａとしては、上記汚垂部床仕上げ板２の基板２ａと同様に、例えば合板、ＬＶＬ、パーティクルボード、ＭＤＦ、集成材、ＯＳＢ等の木質系板材や、セメント珪酸カルシウム板、火山性ガラス質複層板（商品名「ダイライト」大建工業株式会社製）、セラミック板、スラグ石膏板等の無機質系板材を使用できる。また、上記基板３ａは上記板材同士、或いは板材と他の板材とが複合して形成されたものを用いてもよい。例えば、合板の表面に陶磁製板を接着したものや、火山性ガラス質複層板の両面或いは片面に木材単板を接着したもの、セメント珪酸カルシウム板の表面にＬＶＬを接着したもの、合板の表面に金属板やプラスチック板を複合したもの等である。
【００３６】
そして、上記基板３ａの表面に形成される化粧層３ｂとしては、例えば（１）木材化粧単板の表面に透明性合成樹脂塗料を塗布したもの、（２）木材化粧単板に合成樹脂を含浸して硬化させた合成樹脂強化木質単板の表面に透明性合成樹脂塗料を塗布したもの、（３）化粧紙の表面に透明性合成樹脂塗料を塗布したもの、（４）化粧紙に合成樹脂を含浸して硬化させた合成樹脂含浸化粧紙に透明性合成樹脂塗料を塗布したもの、（５）この透明性合成樹脂塗料がフッ素樹脂やシリコン樹脂を主成分とするもの、（６）非透明性着色合成樹脂塗料の塗布層、（７）ガラス繊維布にポリエステル系樹脂等の合成樹脂を含浸して硬化させたもの、（８）酸化チタン等の光触媒機能を持つ物質を混入した塗料を塗布して形成した光触媒機能を持つ塗布層、（９）この光触媒機能を持つ塗料を焼き付け塗装したもの、（１０）釉薬層、下地塗装をした表面に転写印刷等の印刷を施して表面に透明性合成樹脂塗料を塗布したもの、（１１）塗料や印刷インクに蓄光顔料を混入したもの、（１２）発泡性合成樹脂系塗材を塗布して発泡させたもの、（１３）防汚に加えて、抗菌・防臭機能を付加した塗膜層や釉薬層、例えば銀ゼオライトのような抗菌剤を混入した合成樹脂塗料を塗布したり釉薬仕上げしたもの等を例示することができるが、これらに限定されるものではない。
【００３７】
また、上記化粧層３ｂとして、木材化粧単板に合成樹脂を含浸して硬化させた合成樹脂強化木質単板の表面に透明性合成樹脂塗料を塗布したものや、木目模様を印刷した化粧紙に合成樹脂を含浸して硬化させた合成樹脂含浸化粧紙に透明性合成樹脂塗料を塗布したものを使用すると、木目外観の安らぎのあるトイレ空間を形成できるとともに、通常の木目外観の床に較べて、耐傷性、耐水性、防汚性等に優れたトイレ室Ｒの床を形成することができる。そして、上記透明性合成樹脂塗料にフッ素樹脂やシリコン樹脂を主成分とするものを使用すれば、その防汚性や清掃時の洗浄性をさらに高めることができる。
【００３８】
そして、この前部床仕上げ板３の左右両側の側端面には、汚垂部床仕上げ板２の左右両側の側端面の側部合決り部１１，１１と同じ形状、つまり前部床仕上げ板３の表面側に凸部１９を有しかつ裏面側に凹部２０を有する形状の側部合決り部１８，１８が加工されている。
【００３９】
また、前部床仕上げ板３の後側（奥側）の側端面には、表面側に凹部２２を有しかつ裏面側に凸部２３を有する後部合決り部２１が形成され、この後部合決り部２１は上記汚垂部床仕上げ板２の前側側端面の前部合決り部１２に接合可能とされている。
【００４０】
上記左右の側部床仕上げ板４，５は、上記前部床仕上げ板３と同様の構造の木質床化粧板で構成され、剛性のある基板４ａ，５ａの表面に化粧層４ｂ，５ｂを設けてなる（前部床仕上げ板３の説明参照）。この各側部床仕上げ板４，５四周の側端面のうち、央部床仕上げ板１側でその左右両側の側端面と当接する側の側端面には、表面側に凹部２６を有しかつ裏面側に凸部２７を有する側部合決り部２５が形成され、この側部合決り部２５は、上記央部床仕上げ板１における汚垂部床仕上げ板２及び前部床仕上げ板３の各側部合決り部１１，１８に接合可能とされている。
【００４１】
そして、上記両側部床仕上げ板４，５の幅寸法（左右方向の寸法）と、央部床仕上げ板１（汚垂部床仕上げ板２及び前部床仕上げ板３）の幅寸法（左右方向の寸法）とを合計した幅寸法（左右方向の寸法）が、畳１畳の幅寸法よりも２０％未満の寸法分だけ大きめに設定されている。
【００４２】
また、上記央部床仕上げ板１の汚垂部床仕上げ板２及び前部床仕上げ板３並びに左右の側部床仕上げ板４，５の裏面には、水平滑動性のある両面粘着テープ２９（例えば積水化学株式会社製の商品名「両面テープ＃５３０」が一方の接着面（粘着面）にて貼着されている。つまり、この両面粘着テープ２９は、各床仕上げ板２〜５を施工する際に床下地材３０（図５〜図７参照）に当接させた後、水平横方向に滑動して位置をずらせることのできるものである。また、両面粘着テープ２９は、各床仕上げ板２〜５の裏面の全面に貼着するよりも裏面の端部に設けておくことで十分である。特に、リフォームのように既に壁材が取り付けられているような狭い空間で、効率よくかつ作業性よく施工するのに好適である。この両面粘着テープ２９は、他方の接着面を剥離紙で覆った状態で予め工場で貼っておいてもよく、また施工現場で貼ることもできる。尚、両面粘着テープ２９以外に、各床仕上げ板２〜５を接着剤によって床下地材３０に施工することもできる。
【００４３】
そして、これらの床仕上げ板２〜５をトイレ室Ｒの床部に敷設するとき、図７に示すように、央部床仕上げ板１の汚垂部床仕上げ板２及び前部床仕上げ板３を床下地材３０上に、汚垂部床仕上げ板２が便器Ｓの下方部に位置しかつ該汚垂部床仕上げ板２の手前側に前部床仕上げ板３が隣接して配置されるように前後に並べるとともに、左側部床仕上げ板４を央部床仕上げ板１（汚垂部床仕上げ板２及び前部床仕上げ板３）の左側に隣接してトイレ室Ｒの左壁３５側に、また同様に央部床仕上げ板１の右側に隣接して右側部床仕上げ板５をトイレ室Ｒの右壁３６側にそれぞれ位置するように配置する。
【００４４】
具体的に、以上の構成を有するトイレ用床仕上げ板セットＡをトイレ室Ｒの床部に施工する方法について図５により説明する。この図５はリフォーム時における施工手順の一例を示しており、予め、トイレ室Ｒの床部には貫通孔からなる刳り抜き状部３１を有する床下地材３０が施工され、この床下地材３０の刳り抜き状部３１には便器Ｓに接続される便器用配管Ｐがその上端部を刳り抜き状部３１から突出させた状態で挿通されている。
【００４５】
そして、まず、図５（ａ）に示すように、床下地材３０上の所定位置に、央部床仕上げ板１のうち刳り抜き部１６を有する汚垂部床仕上げ板２を、上記刳り抜き状部３１から突出した便器用配管Ｐの上端部に汚垂部床仕上げ板２の刳り抜き部１６を挿通させて取り付ける。その汚垂部床仕上げ板２の取付けは、例えば汚垂部床仕上げ板２の裏面に両面粘着テープ２９が一方の接着面にて接着されている場合には、その両面粘着テープ２９の他方の接着面を覆っている剥離紙を剥がし取り、汚垂部床仕上げ板２に上から多少の圧力を加えて両面粘着テープ２９を床下地材３０に接着させることにより行う。
【００４６】
次いで、図５（ｂ）に示す如く、上記汚垂部床仕上げ板２の手前側の床下地材３０上に前部床仕上げ板３を汚垂部床仕上げ板２と前後に並ぶように取り付ける。この前部床仕上げ板３の取付けは、その裏面に一方の接着面にて接着されている両面粘着テープ２９の他方の接着面から剥離紙を剥がし、汚垂部床仕上げ板２における前部合決り部１２の裏面側凹部１４に、前部床仕上げ板３の後部合決り部２１の裏面側凸部２３を嵌め込むように滑らせ、その後に前部床仕上げ板３に上から多少の圧力を加えて両面粘着テープ２９を床下地材３０に接着させることにより行う。
【００４７】
この後、図５（ｃ）に示すように、前部床仕上げ板３及び汚垂部床仕上げ板２、つまり央部床仕上げ板１の左右両側の床下地材３０上にそれぞれ左右の側部床仕上げ板４，５を取り付ける。これら各側部床仕上げ板４，５の取付けは、上記前部床仕上げ板３と同様に、各側部床仕上げ板４，５の裏面に一方の接着面にて接着されている両面粘着テープ２９の他方の接着面から剥離紙を剥がし、前部床仕上げ板３及び汚垂部床仕上げ板２の各々の左右側端面の側部合決り部１１，１８の裏面側の凹部１４，２０に対し、側部床仕上げ板４，５の側部合決り部２５，２５の裏面側凸部２７，２７を嵌め込むように滑らせ、側部床仕上げ板４，５に上から多少の圧力を加えて両面粘着テープ２９を床下地材３０に接着させることにより行う。
【００４８】
以上の施工により、図５（ｄ）に示すように、４枚の床仕上げ板２〜５がトイレ室Ｒの床部に施工される。そして、図６に示すように、これら床仕上げ板２〜５のうちの壁際部を巾木等の造作材３３によって納める。尚、場合によっては腰壁パネルによって納めてもよい。このような施工方法により、４枚の床仕上げ板２〜５の位置合わせを良好に行うことができるとともに、狭いトイレ空間であっても、本実加工を施す場合に比べ施工性よく施工することができる。
【００４９】
尚、図７中、３８は便器Ｓに流す水を蓄える水タンク（図示せず）を内蔵した物置台で、トイレ室Ｒの奥側壁３７に設置される。３９は物置台３８上側の奥側壁３７に開口された窓である。４０は腰壁、４１は腰壁４０の上端部に設けられた笠木である。
【００５０】
したがって、この実施形態においては、トイレ用床仕上げ板セットＡが予めトイレ室Ｒの床部の平面形状に応じて予めセット化された寸法になっているので、施工現場で床仕上げ板２〜５の切断や孔あけ等の加工をする作業手間を少なくすることができ、トイレ室Ｒの床部の施工を迅速に行うことができ、しかも加工により処分に困る残材や切断屑等の発生をなくしたり、大幅に減少させたりすることができる。
【００５１】
しかも、央部床仕上げ板１（汚垂部床仕上げ板２及び前部床仕上げ板３）の左右方向の幅寸法と、両側部床仕上げ板４，５の左右方向の幅寸法とを合計した幅寸法が、トイレ室Ｒの床部の大きさに相当する通常の畳１畳の幅寸法よりも２０％未満の寸法分だけ大きめに設けられているので、特にリフォーム時等の施工現場における床の多少の形状違いがあっても、両側部床仕上げ板４，５において央部側と反対側の側面を切除することで対応できるとともに、切断くず等のゴミが発生するのを最小限にすることができる。
【００５２】
そして、トイレ用床仕上げ板セットＡが床部全体の床仕上げ板を４分割した構造のものであるので、新築時は勿論のこと、リフォーム時においても、狭い廊下やトイレ室Ｒの出入口から容易に搬入することができ、また狭いトイレ室Ｒにおいても、取付作業や振回し作業がし易くなって施工性を高めることができる。
【００５３】
また、央部床仕上げ板１の汚垂部床仕上げ板２に、便器用配管Ｐを通すための刳り抜き部１６が予め形成されているので、剛性のある汚垂部床仕上げ板２に施工現場で便器用配管Ｐを通すための刳り抜き加工をするという煩わしい作業が不要となり、施工性をさらに高めることができる。
【００５４】
さらには、央部床仕上げ板１における汚垂部床仕上げ板２及び前部床仕上げ板３の左右両側の側端面には側部合決り部１１，１８が、またこの側端面に当接する左右両側部床仕上げ板４，５の側端面には側部合決り部２５，２５がそれぞれ加工され、これらの合決り部１１，１８及び２５，２５同士の接合により央部床仕上げ板１及び側部床仕上げ板４，５同士が接合される一方、汚垂部床仕上げ板２の前側側端面と、この側端面に当接する前部床仕上げ板３の後側の側端面とにもそれぞれ合決り部１２，２１が加工され、これらの合決り部１２，２１同士の接合により汚垂部床仕上げ板２及び前部床仕上げ板３同士が接合されるので、本実加工部により接合する場合に比べて接合加工が容易であり、狭いトイレ空間においても施工を良好に行うことができる。
【００５５】
また、央部床仕上げ板１のうち便器Ｓの下方部に位置する汚垂部床仕上げ板２は、基板２ａの表面に、表面に光触媒機能層２ｃが設けられた無機質板２ｂを複合化したものであるので、尿等により汚れ易い部分の汚れを簡単に清掃することができ、長く良好な清潔感を保持することができる。そして、その裏面側の基板２ａが木質板で形成されているので、合決り部１１，１２の形成のための側端面等の加工も容易に行える。しかも、上記無機質板２ｂはセラミック板であるので、腐らないのは勿論のこと、その耐久性を大幅に向上させることができる。
【００５６】
さらにまた、上記央部床仕上げ板１が、便器Ｓの下方部に位置する汚垂部床仕上げ板２と、その手前側に隣接して配置される前部床仕上げ板３とに２分割されているので、上記運搬施工性をさらに良好にすることができるばかりでなく、２分割された一方である汚垂部床仕上げ板２だけを、木質基板２ａと光触媒機能層２ｃを表面に設けた無機質板２ｂとを複合したものとすれば済み、一層効率的にかつ経済的に防汚性能を付与することができる。
【００５７】
また、各床仕上げ板２〜５の裏面には、水平滑動性のある両面粘着テープ２９が貼着されているので、床仕上げ板２〜５をその裏面の両面粘着テープ２９により床下地材３０に取り付ければよく、その取付けを簡単に行うことができる。
【００５８】
（他の実施形態）
尚、トイレ室Ｒの床部に施工される床下地材３０として、電気式発熱装置を組み込んだ発熱下地材を用い、これを本発明のトイレ用床仕上げ板セットＡに加えて組み合わせることができる。このような電気式発熱装置を組み込んだ発熱下地材は、ヒータ線方式のものや面状発熱体方式のもの等、市販のもの或いはそれをトイレ用にアレンジしたものを用いることができる。また、このような発熱装置を発熱部分がトイレ室Ｒの床下地材３０全面でなく部分的に発熱するように組み込むこともできる。
【００５９】
その場合、トイレ用床仕上げ板セットＡは、電気式発熱装置を組み込んだ下地暖房パネルが床下地材３０として加えられたセットになっているので、トイレ用床仕上げ板セットＡに暖房機能を付与することができる。
【００６０】
また、上記実施形態では、トイレ用床仕上げ板セットＡとして４分割された例を示しているが、３分割以上されていればよい。但し、分割数が多過ぎると、床仕上げ板間の接合部の数が多くなり過ぎ、その接合部の目地の汚染が目立ったり、却って施工性が悪くなったりするので好ましくなく、３分割ないし６分割程度がよい。
【００６１】
例えば図８は３分割されたトイレ用床仕上げ板セットＡを示し、上記実施形態（図１〜図４参照）における汚垂部床仕上げ板２と前部床仕上げ板３とを一体にして１枚の央部床仕上げ板１を設けたものである。また、その便器用配管Ｐを挿通させるための刳り抜き部１６は、上記実施形態のようにＵ字状のものではなく、後側に向かって幅が広くなるテーパ形状に形成されている。このような３分割されたトイレ用床仕上げ板セットＡは、特に床面積の比較的小さいトイレ室Ｒに有効である。
【００６２】
また、図９は５分割されたトイレ用床仕上げ板セットＡを示し、上記実施形態における汚垂部床仕上げ板２の後側に後部床仕上げ板８を加えたものである。また、汚垂部床仕上げ板２の前後中央部には略円形の貫通孔からなる刳り抜き部１６が形成されている。このような５分割のトイレ用床仕上げ板セットＡによると、例えばトイレ室Ｒが狭い場合やリフォーム時等、その奥側壁３７に上記実施形態の如き物置台３８（図７等参照）を設置せずに壁のみとする場合に、物置台３８の位置の床部に上記後部床仕上げ板８を敷設すればよい。このことで、刳り抜き部１６の前後長さが比較的大きい汚垂部床仕上げ板２（図１参照）をそのまま用いたときにその刳り抜き部１６の後端部が隠蔽されずに露出するような不具合を解消でき、しかも便器Ｓの排水ソケットの様々な形状や位置に対応することができる。
【００６３】
さらに、図１０は６分割されたトイレ用床仕上げ板セットＡを示し、上記実施形態における左右の側部床仕上げ板４，５をそれぞれさらに前側部４ｃ，５ｃ及び後側部４ｄ，５ｄに２分割している。刳り抜き部１６は、汚垂部床仕上げ板２の後辺部の幅方向略中央から前側に向かって長細い矩形状となる（刳り抜き部１６の前端は矩形状に切り欠かれている）ように切り欠き、その後側開口側で便器用配管Ｐが挿通される位置以外の部分を封止材９で封止したものである（尚、封止材９で封止せずに矩形切欠部のままを刳り抜き部１６としてもよい）。
【００６４】
また、汚垂部床仕上げ板２（央部床仕上げ板１）の刳り抜き部１６は、以上の各形状の他、前後方向に延びる細長い貫通孔からなる長孔等、その目的を達するものであれば種々の形状を採用することができる。
【００６５】
【発明の効果】
以上説明したように、請求項１の発明によると、トイレ室の床部に配設されるトイレ用床仕上げセットとして、少なくとも、便器の位置に配置される央部床仕上げ板と、この央部床仕上げ板の左右両側に隣接してトイレ室の左右壁側に位置するように配置される両側部床仕上げ板とを組み合わせてなり、央部床仕上げ板の左右両側の側端面に、表面側に凸部を有しかつ裏面側に凹部を有する側部合決り部を、また両側部床仕上げ板の央部床仕上げ板側の側端面に、表面側に凹部を有しかつ裏面側に凸部を有し央部床仕上げ板の側部合決り部に接合される側部合決り部をそれぞれ形成し、央部床仕上げ板に便器用配管を通すための刳り抜き部を設けたことにより、新築時は勿論のこと、リフォーム時においても、狭い廊下やトイレ室の出入口から分割された床仕上げ板をトイレ室に容易に搬入でき、狭いトイレ室における取付作業や振回し作業を容易にしてトイレ室床部の施工性の向上を図ることができるとともに、施工現場での切断作業を少なくし、便器用配管を通すための煩わしい床仕上げ板の刳り抜き作業をせずとも済み、切削屑の掃除やその処分の不要化を図ることができる。しかも、央部床仕上げ板の左右両側の側端面と両側部床仕上げ板の側端面との合決り部同士の接合により、本実加工部により接合する場合に比べて接合加工が容易で、狭いトイレ空間での施工性のより一層の向上を図ることができる。しかも、央部床仕上げ板の左右の側端面に、表面側に凸部を有しかつ裏面側に凹部を有する側部合決り部を形成する一方、両側部床仕上げ板の央部床仕上げ板側の側端面に、表面側に凹部を有しかつ裏面側に凸部を有する側部合決り部を形成したことにより、両合決り部同士の接合状態では、側部床仕上げ板の側端面を央部床仕上げ板の側端面の下に潜り込むようにでき、施工性のより一層の向上及び施工後の安定性の向上を図ることができる。
【００６６】
請求項２の発明では、央部床仕上げ板の少なくとも一部は、基板と、その表面に配置され、光触媒機能層が設けられた無機質板とを一体化してなるものとした。請求項３の発明では、央部床仕上げ板のうち便器の下方部に位置する汚垂部を、基板及び表面に光触媒機能層が設けられた無機質板からなるものとした。これらの発明によれば、央部床仕上げ板において、尿等により汚れ易い部分の汚れを簡単に清掃して長く良好な清潔感を保持できるとともに、その裏面側の木質板により側端面等の加工の容易化を図ることができる。
【００６７】
請求項４の発明によると、央部床仕上げ板は、少なくとも、便器の下方部に位置する汚垂部床仕上げ板と、この汚垂部床仕上げ板の手前側に隣接して配置される前部床仕上げ板とに２分割し、汚垂部床仕上げ板の手前側の側端面に後部合決り部を、また前部床仕上げ板の奥側の側端面に、汚垂部床仕上げ板の後部合決り部に接合される前部合決り部をそれぞれ形成したことにより、トイレ用床仕上げ板セットの運搬施工性を向上できるとともに、２分割された一方の汚垂部床仕上げ板だけを、木質基板表面に光触媒機能層を表面に設けた無機質板を複合して、より一層効率的にかつ経済的に防汚性能を付与することができる。
【００６８】
請求項５の発明によると、汚垂部床仕上げ板の手前側の側端面に、表面側に凸部を有しかつ裏面側に凹部を有する前部合決り部を、また前部床仕上げ板の奥側の側端面に、表面側に凹部を有しかつ裏面側に凸部を有する後部合決り部をそれぞれ形成したことにより、施工時に前部床仕上げ板の奥側の側端面が汚垂部床仕上げ板の手前側の側端面の下に潜り込むようになり、施工性のより一層の向上及び施工後の安定性の向上を図ることができる。
【００６９】
請求項６の発明によれば、無機質板をセラミック板としたことにより、無機質板の腐朽防止や耐久性の大幅な向上を図ることができる。
【００７０】
請求項７の発明によると、トイレ用床仕上げ板セットに、電気式発熱装置を組み込んだ下地暖房パネルを組み合わせたことにより、トイレ用床仕上げ板セットに暖房機能を付与して、冬期でも暖かく快適に用を足すことができ、高齢者に優しい環境を与えることができる。
【００７１】
請求項８の発明によれば、央部床仕上げ板及び側部床仕上げ板の各裏面に、水平滑動性のある両面粘着テープを貼着したことにより、床仕上げ板を両面粘着テープにより床下地材に取り付けて、その取付けを簡単に行うことができる。
【００７２】
請求項９の発明によると、両側部床仕上げ板の左右方向の幅寸法と央部床仕上げ板の左右方向の幅寸法とを合計した幅寸法が、畳１畳の幅寸法よりも２０％未満の寸法分だけ大きめになるように設けたことにより、特にリフォーム時等の施工現場における床の多少の形状違いにも対応できるとともに、切断くず等のゴミが発生するのを最小限にすることができる。
【００７３】
請求項１０の発明のトイレ用床仕上げセットの施工方法によると、トイレ室に施工されかつ便器用配管が突出する床下地材上に央部床仕上げ板を、便器用配管の端部に央部床仕上げ板の刳り抜き部を挿通させて取り付け、次いで、央部床仕上げ板の左右両側端面の側部合決り部の裏面側凹部に対し両側部床仕上げ板の側部合決り部の裏面側凸部を順次挿入して、両側部床仕上げ板を床下地材上に取り付けることにより、床仕上げ板の位置合わせを良好に行うとともに、狭いトイレ空間でも施工性を向上させることができる。
【図面の簡単な説明】
【図１】  本発明の実施形態に係るトイレ用床仕上げ板セットを分解して示す斜視図である。
【図２】  図１のII−II線拡大断面図である。
【図３】  図１のIII−III線拡大断面図である。
【図４】  トイレ用床仕上げ板セットを示す平面図である。
【図５】  トイレ室にトイレ用床仕上げ板セットを施工する方法の手順を示す平面図である。
【図６】  施工した後のトイレ室の床部における左側隅部を拡大して示す断面図である。
【図７】  施工後のトイレ室を出入口側から見て示す斜視図である。
【図８】  第１の他の実施形態に係るトイレ用床仕上げ板セットを示す図４相当図である。
【図９】  第２の他の実施形態に係るトイレ用床仕上げ板セットを示す図４相当図である。
【図１０】  第３の他の実施形態に係るトイレ用床仕上げ板セットを示す図４相当図である。
【符号の説明】
Ａ  トイレ用床仕上げ板セット
１  央部床仕上げ板
２  汚垂部床仕上げ板
２ａ  基板
２ｂ  無機質板
２ｃ  光機能触媒層
３  前部床仕上げ板
４  左側部床仕上げ板
５  右側部床仕上げ板
８  後部床仕上げ板
１１  側部合決り部
１２  前部合決り部
１３  凸部
１４  凹部
１６  刳り抜き部
１８  側部合決り部
１９  凸部
２０  凹部
２１  後部合決り部
２２  凹部
２３  凸部
２５  側部合決り部
２６  凹部
２７  凸部
２９  両面粘着テープ
３０  床下地材
Ｒ  トイレ室
Ｓ  便器
Ｐ  便器用配管
【図１】
0003916410.tif 000002
【図２】
0003916410.tif 000003
【図３】
0003916410.tif 000004
【図４】
0003916410.tif 000005
【図５】
0003916410.tif 000006
【図６】
0003916410.tif 000007
【図７】
0003916410.tif 000008
【図８】
0003916410.tif 000009
【図９】
0003916410.tif 000010
【図１０】
0003916410.tif 000011